(57)【要約】【課題】帯電部材に流れる直流電流の検出信号の変動が帯電電圧のレベル制御に悪影響を及ぼすことを回避すること。【解決手段】印加周期制御部８１ｂは、予め定められた装置パラメーターに応じて帯電電圧Ｖｃ０の交流成分の印加周期Ｔｉ０を設定する。電圧印加回路４２０は、直流成分および前記印加周期Ｔｉ０の交流成分を含む前記帯電電圧Ｖｃ０を帯電部材４２１に印加する。サンプリング周期設定部８１ｄは、前記印加周期Ｔｉ０に非整数の定数を乗じた周期をサンプリング周期Ｔｓ０として設定する。電流値算出部８１ｃは、前記帯電部材４２１に流れる直流電流の電流検出信号Ｓａ０のレベル値を前記サンプリング周期Ｔｓ０でサンプリングし、複数のサンプリング値を平均化することによって検出電流値Ａｄ０を算出する。電圧制御部８１ａは、前記検出電流値Ａｄ０に応じて前記帯電電圧Ｖｃ０のレベルを制御する。【選択図】図２
2018169586.tif 000002
【特許請求の範囲】
【請求項１】
回転駆動される感光体と、
前記感光体の外周面に接触し、前記感光体を帯電させる帯電電圧が印加される帯電部材と、
予め定められた装置パラメーターに応じて前記帯電部材に印加される帯電電圧の交流成分の周期である印加周期を設定する印加周期制御部と、
直流成分および前記印加周期の交流成分を含む前記帯電電圧を前記帯電部材に印加する電圧印加回路と、
前記電圧印加回路から前記帯電部材へ流れる直流電流を検出し、電流検出信号を出力する電流検出回路と、
前記電流検出信号のサンプリング周期を設定するサンプリング周期設定部と、
前記電流検出信号のレベル値を前記サンプリング周期でサンプリングし、複数のサンプリング値を平均化することによって検出電流値を算出する電流値算出部と、
前記検出電流値に応じて前記電圧印加回路によって出力される前記帯電電圧のレベルを制御する電圧制御部と、を備え、
前記サンプリング周期設定部は、前記印加周期に非整数の定数を乗じた周期を前記サンプリング周期として設定する、画像形成装置。
【請求項２】
前記サンプリング周期設定部は、前記印加周期に１以上の非整数の定数を乗じた周期を前記サンプリング周期として設定する、請求項１に記載の画像形成装置。
【請求項３】
前記サンプリング周期設定部は、第１定数Ｎが１以上の整数、第２定数Ｍが前記電流値算出部によって平均化される前記複数のサンプリング値の数である場合に、前記印加周期を（Ｎ＋１／Ｍ）倍した値に相当する前記サンプリング周期を設定する、請求項２に記載の画像形成装置。
【請求項４】
前記装置パラメーターは、少なくとも前記感光体の回転速度を含む、請求項１から請求項３のいずれか１項に記載の画像形成装置。
【発明の詳細な説明】
【技術分野】
【０００１】
本発明は、電子写真方式の画像形成装置に関する。
【背景技術】
【０００２】
一般に、電子写真方式の画像形成装置は、筒状の感光体と、回転駆動される前記感光体を帯電させる帯電装置とを備える。例えば、前記帯電装置は、前記感光体の外周面に接触する帯電ローラーと、帯電電圧を前記帯電ローラーに印加する電圧印加回路とを備える。
【０００３】
前記感光体の表面電位は、前記電圧印加回路から前記帯電ローラーへ流れる直流電流と正の相関を有する。そのため、前記帯電電圧の出力レベルが、前記電圧印加回路から前記帯電ローラーへ流れる直流電流の検出値に応じて制御される。
【０００４】
前記帯電電圧は、直流成分と交流成分とを含む。前記帯電ローラーへ流れる直流電流の検出値は、前記帯電電圧の交流成分の影響によって変動する。また、前記帯電電圧の交流成分の周波数は、前記画像形成装置における累積印刷枚数などの予め定められた装置パラメーターに応じて変更される。
【０００５】
従って、電流検出信号のレベル値が一定の周期でサンプリングされると、サンプリング値が、前記感光体の表面電位とは異なる原因によって変動する。そのようなサンプリング値がそのまま前記帯電電圧の出力レベルの制御に用いられると、前記感光体の表面電位が目標電位に維持されない。
【０００６】
また、前記帯電電圧の出力制御に用いられる直流電流の検出が、前記帯電電圧の交流成分がピークになるタイミングで行われることが知られている（例えば、特許文献１参照）。
【先行技術文献】
【特許文献】
【０００７】
【特許文献１】特開２００２−２０７３５１号公報
【発明の概要】
【発明が解決しようとする課題】
【０００８】
ところで、電流検出信号のレベル値をサンプリングするプロセッサーの時間分解能などの各種の要因により、直流電流の検出タイミングが、意図するタイミングからずれる場合がある。
【０００９】
従って、前記電流検出信号のレベル値が、前記帯電電圧の交流成分における一定の位相のタイミングでサンプリングされる場合、タイミングのずれに起因するサンプリング値の誤差が生じやすい。前記帯電電圧の交流成分がピークになるタイミングは、前記帯電電圧の交流成分における一定の位相のタイミングの一例である。
【００１０】
本発明の目的は、感光体を帯電させる帯電部材に印加される帯電電圧の交流成分の周波数が装置パラメーターに応じて変更される場合に、前記帯電部材に流れる直流電流の検出信号の変動が帯電電圧のレベル制御に悪影響を及ぼすことを回避できる画像形成装置を提供することにある。
【課題を解決するための手段】
【００１１】
本発明の一の局面に係る画像形成装置は、感光体と、帯電部材と、印加周期制御部と、電圧印加回路と、電流検出回路と、サンプリング周期設定部と、電流値算出部と、電圧制御部と、を備える。前記感光体は、回転駆動される。前記帯電部材は、前記感光体の外周面に接触し、前記感光体を帯電させる帯電電圧が印加される。前記印加周期制御部は、予め定められた装置パラメーターに応じて前記帯電部材に印加される帯電電圧の交流成分の周期である印加周期を設定する。前記電圧印加回路は、直流成分および前記印加周期の交流成分を含む前記帯電電圧を前記帯電部材に印加する。前記電流検出回路は、前記電圧印加回路から前記帯電部材へ流れる直流電流を検出し、電流検出信号を出力する。前記サンプリング周期設定部は、前記電流検出信号のサンプリング周期を設定する。前記電流値算出部は、前記電流検出信号のレベル値を前記サンプリング周期でサンプリングし、複数のサンプリング値を平均化することによって検出電流値を算出する。前記電圧制御部は、前記検出電流値に応じて前記電圧印加回路によって出力される前記帯電電圧のレベルを制御する。前記サンプリング周期設定部は、前記印加周期に非整数の定数を乗じた周期を前記サンプリング周期として設定する。
【発明の効果】
【００１２】
本発明によれば、感光体を帯電させる帯電部材に印加される帯電電圧の交流成分の周波数が装置パラメーターに応じて変更される場合に、前記帯電部材に流れる直流電流の検出信号の変動が帯電電圧のレベル制御に悪影響を及ぼすことを回避できる画像形成装置を提供することが可能になる。
【図面の簡単な説明】
【００１３】
【図１】図１は、実施形態に係る画像形成装置の構成図である。
【図２】図２は、実施形態に係る画像形成装置における帯電電圧制御関連機器のブロック図である。
【図３】図３Ａは、帯電電圧の交流成分の周期が比較的長い場合における電流検出信号のトレンドグラフを示す図であり、図３Ｂは、帯電電圧の交流成分の周期が比較的長い場合における電流検出信号のトレンドグラフを示す図である。
【発明を実施するための形態】
【００１４】
以下、添付図面を参照しながら、本発明の実施形態について説明する。なお、以下の実施形態は、本発明を具体化した一例であって、本発明の技術的範囲を限定するものではない。
【００１５】
［画像形成装置の構成］
画像形成装置１０は、電子写真方式でシート９に画像を形成する装置である。画像形成装置１０は、例えば、プリンター、コピー機、ファクシミリーまたは複合機などである。
【００１６】
図１に示されるように、画像形成装置１０は、シート供給機構２、シート搬送機構３、画像形成部４、制御部８および操作表示部８０などを備える。
【００１７】
シート供給機構２が、シート９を１枚ずつシート搬送路３０へ送り出し、シート搬送機構３が、シート９をシート搬送路３０に沿って搬送する。シート９は、紙または封筒などの画像形成媒体である。
【００１８】
画像形成部４は、シート搬送路３０を移動中のシート９にトナー画像を形成する印刷処理を実行する。画像形成部４は、光走査ユニット４０、感光体４１、帯電装置４２、現像装置４３、転写装置４４、クリーニング装置４５および定着装置４６などを備える。
【００１９】
感光体４１が不図示のモーターおよびギヤ機構によって回転駆動され、帯電装置４２が感光体４１を帯電させる。帯電装置４２において、帯電電圧Ｖｃ０が印加された帯電ローラー４２１が、感光体４１の外周面に接触しつつ回転する（図２参照）。なお、帯電ローラー４２１は、感光体４１を帯電させる帯電電圧Ｖｃ０が印加される帯電部材の一例である。
【００２０】
現像装置４３において、現像ローラー４３１が、感光体４１にトナー９０を供給することにより、前記静電潜像をトナー画像へ現像する。これにより、感光体４１は、前記トナー画像を担持して回転する。
【００２１】
転写装置４４は、感光体４１上の前記トナー画像を、シート搬送路３０を移動中のシート９に転写する。クリーニング装置４５は、感光体４１に残存する廃トナーを除去する。
【００２２】
定着装置４６は、シート９に形成された前記トナー画像を加熱することによって前記トナー画像をシート９に定着させる。
【００２３】
操作表示部８０は、ユーザーインターフェイスデバイスである。操作表示部８０は、ユーザーの操作を受け付ける操作部および情報を表示する表示部を含む。
【００２４】
制御部８は、画像形成装置１０が備える各種の電気機器を制御する。例えば、制御部８は、帯電装置４２、現像装置４３および操作表示部８０などを制御する。
【００２５】
制御部８は、ＣＰＵ（Central Processing Unit）またはＤＳＰ（Digital Signal Processor）などのプロセッサー８１と、主記憶装置８２と、二次記憶装置８３と、環境センサー８００とを備える。
【００２６】
プロセッサー８１は、二次記憶装置８３に予め記憶されたプログラムを主記憶装置８２へロードし、主記憶装置８２にアクセスしつつ前記プログラムを実行する。主記憶装置８２はコンピューター読取可能な不揮発性のＲＡＭ（Random Access Memory）である。二次記憶装置８３は、非一時的かつコンピューター読み取り可能な記憶装置である。なお、制御部８が、ＡＳＩＣ（Application Specific Integrated Circuit）などの回路によって実現されることも考えられる。
【００２７】
環境センサー８００は、画像形成装置１０が設置された環境の温度および湿度を検出するセンサーである。プロセッサー８１は、環境センサー８００による温度および湿度の検出値に応じて、帯電電圧Ｖｃ０および現像ローラー４３１に印加される現像バイアス電圧などを制御する。
【００２８】
図２に示されるように、帯電装置４２は、直流成分および交流成分を含む帯電電圧Ｖｃ０を帯電ローラー４２１に印加する電圧印加回路４２０を備える。電圧印加回路４２０は、直流帯電電圧Ｖｄｃ０を生成する直流電源回路４２ａと、交流帯電電圧Ｖａｃ０を生成する交流電源回路４２ｂとを含む。
【００２９】
直流電源回路４２ａは、直流制御信号Ｓｖ１を入力し、その直流制御信号Ｓｖ１のレベルに相当する直流帯電電圧Ｖｄｃ０を生成する出力可変タイプの電源回路である。
【００３０】
交流電源回路４２ｂは、交流帯電電圧Ｖａｃ０を直流帯電電圧Ｖｄｃ０に重畳した電圧を、帯電電圧Ｖｃ０として帯電ローラー４２１に印加する。即ち、帯電電圧Ｖｃ０は、直流帯電電圧Ｖｄｃ０と交流帯電電圧Ｖａｃ０とが重畳された電圧である。換言すれば、帯電電圧Ｖｃ０の直流成分が直流帯電電圧Ｖｄｃ０であり、帯電電圧Ｖｃ０の交流成分が交流帯電電圧Ｖａｃ０である。
【００３１】
交流電源回路４２ｂは、交流制御信号Ｓｖ２および周波数制御信号Ｆ０を入力し、交流制御信号Ｓｖ２のレベルに相当する振幅および周波数制御信号Ｆ０のレベルに相当する周波数を有する交流帯電電圧Ｖａｃ０を生成する出力可変タイプの電源回路である。
【００３２】
電圧印加回路４２０は、さらに電流検出回路４２ｃを含む。電流検出回路４２ｃは、電圧印加回路４２０から帯電ローラー４２１へ流れる直流電流を検出し、電流検出信号Ｓａ０を出力する回路である。電流検出信号Ｓａ０はアナログ信号である。例えば、電流検出回路４２ｃが、１つの集積回路として実現されることが考えられる。
【００３３】
図２に示される例において、直流電源回路４２ａから交流電源回路４２ｂへ流れる直流電流が、電圧印加回路４２０から帯電ローラー４２１へ流れる直流電流である。そのため、電流検出回路４２ｃは、直流電源回路４２ａから交流電源回路４２ｂへの電圧供給ラインに設けられている。
【００３４】
本実施形態において、プロセッサー８１が、直流制御信号Ｓｖ１、交流制御信号Ｓｖ２および周波数制御信号Ｆ０を電圧印加回路４２０へ出力する。
【００３５】
プロセッサー８１は、各種のプログラムを実行することにより、電圧制御部８１ａ、印加周波数制御部８１ｂ、電流値算出部８１ｃ、サンプリング周期設定部８１ｄおよび印刷制御部８１ｅとして動作する。
【００３６】
感光体４１の表面電位は、電圧印加回路４２０から帯電ローラー４２１へ流れる直流電流と正の相関を有する。そのため、電圧制御部８１ａは、電流検出信号Ｓａ０のレベルに応じて帯電電圧Ｖｃ０の出力レベルを制御する。
【００３７】
即ち、帯電電圧Ｖｃ０の出力レベルが、電圧印加回路４２０から帯電ローラー４２１へ流れる直流電流の検出値に応じて制御される。ここで、帯電電圧Ｖｃ０の出力レベルの制御は、直流帯電電圧Ｖｄｃ０および交流帯電電圧Ｖａｃ０の振幅の制御である。
【００３８】
より具体的には、電圧制御部８１ａは、電流検出信号Ｓａ０のレベルと予め設定された目標レベルとの差に基づくフィードバック制御により、直流制御信号Ｓｖ１および交流制御信号Ｓｖ２のレベルを設定する。
【００３９】
前記フィードバック制御において、電流検出信号Ｓａ０のレベルが高い場合よりも低い場合の方が、直流帯電電圧Ｖｄｃ０および交流帯電電圧Ｖａｃ０の振幅を大きくする方向へ、直流制御信号Ｓｖ１および交流制御信号Ｓｖ２のレベルが調節される。
【００４０】
帯電ローラー４２１へ流れる電流の検出値は、帯電電圧Ｖｃ０の前記交流成分の影響によって変動する。以下の説明において、帯電ローラー４２１に印加される帯電電圧Ｖｃ０の交流成分の周期のことを印加周期Ｔｉ０と称する。
【００４１】
図３Ａおよび図３Ｂに示されるように、電流検出信号Ｓａ０は、帯電電圧Ｖｃ０の前記交流成分の影響により、印加周期Ｔｉ０と同期して変動する。この変動は、感光体４１の表面電位とは関係のない変動である。
【００４２】
また、印加周波数制御部８１ｂが、帯電電圧Ｖｃ０の前記交流成分の周波数を、画像形成装置１０における予め定められた装置パラメーターに応じて変更する。帯電電圧Ｖｃ０の前記交流成分の周波数は、交流帯電電圧Ｖａｃ０の周波数である。
【００４３】
本実施形態において、前記装置パラメーターは、累積印刷枚数、感光体４１の回転速度および環境センサー８００によって検出される前記環境温度を含む。印加周波数制御部８１ｂは、交流帯電電圧Ｖａｃ０の周波数を指定する周波数制御信号Ｆ０を出力する。
【００４４】
印刷制御部８１ｅは、シート供給機構２、シート搬送機構３および画像形成部４に前記印刷処理を実行させる際に、前記累積印刷枚数をカウントアップし、前記累積印刷枚数のデータを二次記憶装置８３に記録する。さらに、操作表示部８０に厚紙モードを選択する操作が行われた上で前記印刷処理が実行される場合に、印刷制御部８１ｅは、感光体４１を駆動する前記モーターを制御することにより、感光体４１の回転速度および定着装置４６のローラーを標準速度よりも低速で回転させる。
【００４５】
交流帯電電圧Ｖａｃ０の周波数を制御することは、帯電電圧Ｖｃ０の前記交流成分の周期を制御することと等価である。従って、印加周波数制御部８１ｂは、前記装置パラメーターに応じて帯電ローラー４２１に印加される帯電電圧Ｖｃ０の交流成分の周期を設定する印加周期制御部の一例である。
【００４６】
例えば、印加周波数制御部８１ｂは、前記累積印刷枚数が予め定められた第１枚数に達するまでは、前記累積印刷枚数が増えるに従って、交流帯電電圧Ｖａｃ０の周波数を段階的に大きくする方向へ補正する。さらに、印加周波数制御部８１ｂは、前記累積印刷枚数が前記第１枚数に達した以降は、前記累積印刷枚数が増えるに従って、交流帯電電圧Ｖａｃ０の周波数を段階的に小さくする方向へ補正する。  
【００４７】
印加周波数制御部８１ｂは、前記環境温度が予め定められた標準温度範囲を超えた場合に、交流帯電電圧Ｖａｃ０の周波数を小さくする方向へ補正し、前記環境温度が前記標準温度範囲を下回った場合に、交流帯電電圧Ｖａｃ０の周波数を大きくする方向へ補正する。
【００４８】
印加周波数制御部８１ｂは、感光体４１の回転速度が予め定められた標準速度よりも速い場合に、交流帯電電圧Ｖａｃ０の周波数を大きくする方向へ補正し、感光体４１の回転速度が前記標準速度よりも遅い場合に、交流帯電電圧Ｖａｃ０の周波数を小さくする方向へ補正する。
【００４９】
従って、電流検出信号Ｓａ０のレベル値が一定の周期でサンプリングされると、サンプリング値が、感光体４１の表面電位とは異なる原因によって変動する。そのようなサンプリング値がそのまま帯電電圧Ｖｃ０の出力レベルの制御に用いられると、感光体４１の表面電位が目標電位に維持されない。
【００５０】
ところで、電流検出信号Ｓａ０のレベル値をサンプリングするプロセッサー８１の時間分解能などの各種の要因により、電流の検出タイミングが、意図するタイミングからずれる場合がある。
【００５１】
従って、電流検出信号Ｓａ０のレベル値が、帯電電圧Ｖｃ０の交流成分における一定の位相のタイミングでサンプリングされる場合、タイミングのずれに起因するサンプリング値の誤差が生じやすい。帯電電圧Ｖｃ０の交流成分がピークになるタイミングは、帯電電圧Ｖｃ０の交流成分における一定の位相のタイミングの一例である。
【００５２】
以上に示されるように、画像形成装置１０において、帯電ローラー４２１に印加される帯電電圧Ｖｃ０の交流成分の周波数が、前記装置パラメーターに応じて変更される。そのような場合でも、電流値算出部８１ｃおよびサンプリング周期設定部８１ｄが、後述する処理を実行することにより、電流検出信号Ｓａ０の変動が帯電電圧Ｖｃ０のレベル制御に悪影響を及ぼすことを防止する。
【００５３】
［電流値算出部８１ｃ］
電流値算出部８１ｃは、電流検出信号Ｓａ０のレベル値を、サンプリング周期設定部８１ｄによって設定されるサンプリング周期Ｔｓ０でサンプリングする。さらに、電流値算出部８１ｃは、電流検出信号Ｓａ０のレベル値のサンプリングにより得られる複数のサンプリング値を平均化することによって検出電流値Ａｄ０を算出する。
【００５４】
例えば、電流値算出部８１ｃは、３０個〜７０個程度の前記サンプリング値を平均化することによって検出電流値Ａｄ０を算出する。
【００５５】
プロセッサー８１は、アナログ信号をデジタルデータへ変換する信号入力ポート８１０を有している。電流検出信号Ｓａ０は、信号入力ポート８１０を通じてプロセッサー８１に入力される。電流値算出部８１ｃは、信号入力ポート８１０を通じて、電流検出信号Ｓａ０のレベル値を取得する。
【００５６】
本実施形態において、電圧制御部８１ａは、電流値算出部８１ｃによって算出された検出電流値Ａｄ０に基づく前記フィードバック制御により、電圧印加回路４２０によって出力される帯電電圧Ｖｃ０のレベルを制御する。
【００５７】
［サンプリング周期設定部８１ｄ］
サンプリング周期設定部８１ｄは、印加周期Ｔｉ０に非整数の定数を乗じた周期をサンプリング周期Ｔｓ０として設定する。
【００５８】
プロセッサー８１は、画像形成装置１０と統括的に制御するため、帯電装置４２以外の機器も制御する。そのため、サンプリング周期Ｔｓ０が小さすぎると、プロセッサー８１が帯電装置４２以外の機器の制御に割く能力を確保できない。
【００５９】
そこで、サンプリング周期設定部８１ｄは、印加周期Ｔｉ０に１以上の非整数の定数を乗じた周期をサンプリング周期Ｔｓ０として設定する。
【００６０】
例えば、サンプリング周期設定部８１ｄは、印加周波数制御部８１ｂによって決定される印加周期Ｔｉ０を以下の（１）式に適用することによってサンプリング周期Ｔｓ０を算出する。（１）式は、印加周期Ｔｉ０を（Ｎ＋１／Ｍ）倍した値に相当するサンプリング周期設定部８１ｄを設定することを表している。
【数１】
2018169586.tif 000003
【００６１】
（１）式において、第１定数Ｎは１以上の整数であり、第２定数Ｍは２以上の整数である。ここで、第２定数Ｍは、電流値算出部８１ｃによって平均化される前記複数のサンプリング値の数である。例えば、Ｎが１であり、Ｍが３０〜７０程度の整数であることが考えられる。（１）式において、定数（Ｎ＋１／Ｍ）は１以上の非整数である。
【００６２】
図３Ａおよび図３Ｂにおいて、黒丸は、第１定数Ｎが１、第２定数Ｍが５である場合に、（１）式に基づいて設定されたサンプリング周期Ｔｓ０での電流検出信号Ｓａ０のサンプリングポイントを示す。
【００６３】
電流値算出部８１ｃは、Ｍ個のサンプリング値が得られる時点Ｔｘ０ごとに、それらＭ個のサンプリング値を平均化することによって検出電流値Ａｄ０を算出する。
【００６４】
本実施形態によれば、電流検出信号Ｓａ０がＭサイクル分変動する間に、電流検出信号Ｓａ０の周期変動におけるＭ個の等間隔の位相のタイミングで得られるサンプリング値が、検出電流値Ａｄ０に反映される。この状況は、印加周期Ｔｉ０が変化した場合でも確保される。
【００６５】
従って、帯電電圧Ｖｃ０の交流成分の周波数が前記装置パラメーターに応じて変更される場合であっても、電流検出信号Ｓａ０の周期的な変動成分が平滑化された検出電流値Ａｄ０が得られる。これにより、電流検出信号Ｓａ０の変動が、帯電電圧Ｖｃ０のレベル制御に悪影響を及ぼすことを回避することができる。
【００６６】
また、前記装置パラメーターが感光体４１の回転速度を含む場合、印加周期Ｔｉ０が比較的大きな範囲で変更される。印加周期Ｔｉ０の変更範囲が大きい場合、プロセッサー８１の時間分解能などの誤差要因の大きさと印加周期Ｔｉ０との間の相対比の変化が大きくなる。そのため、帯電電圧Ｖｃ０の交流成分における一定の位相のタイミングでサンプリングされる場合、タイミングのずれに起因するサンプリング値の誤差のばらつきが大きくなる。
【００６７】
一方、本実施形態によれば、前記誤差要因の影響は、複数のサンプリング値の平均化によって大幅に緩和される。
【００６８】
なお、サンプリング周期Ｔｓ０が（１）式に基づいて算出される場合に、電流値算出部８１ｃが、第２定数Ｍに２以上の整数を乗じて得られる個数の前記サンプリング値を平均化することも考えられる。
【符号の説明】
【００６９】
２        ：シート供給機構
３        ：シート搬送機構
４        ：画像形成部
８        ：制御部
９        ：シート
１０      ：画像形成装置
３０      ：シート搬送路
４０      ：光走査ユニット
４１      ：感光体
４２      ：帯電装置
４２ａ    ：直流電源回路
４２ｂ    ：交流電源回路
４２ｃ    ：電流検出回路
４３      ：現像装置
４４      ：転写装置
４５      ：クリーニング装置
４６      ：定着装置
８０      ：操作表示部
８１      ：プロセッサー
８１ａ    ：電圧制御部
８１ｂ    ：印加周波数制御部（印加周期制御部）
８１ｃ    ：電流値算出部
８１ｄ    ：サンプリング周期設定部
８２      ：主記憶装置
８３      ：二次記憶装置
９０      ：トナー
４２０    ：電圧印加回路
４２１    ：帯電ローラー
４３１    ：現像ローラー
８００    ：環境センサー
８１０    ：信号入力ポート
Ａｄ０    ：検出電流値
Ｆ０      ：周波数制御信号
Ｓａ０    ：電流検出信号
Ｓｖ１    ：直流制御信号
Ｓｖ２    ：交流制御信号
Ｔｉ０    ：印加周期
Ｔｓ０    ：サンプリング周期
Ｖａｃ０  ：交流帯電電圧
Ｖｃ０    ：帯電電圧
Ｖｄｃ０  ：直流帯電電圧
【図１】
2018169586.tif 000004
【図２】
2018169586.tif 000005
【図３】
2018169586.tif 000006